(57)【要約】【課題】転写箔のシワや箔バリの発生を低減した箔転写射出成形方法及び金型並びに成形品を提供する。【解決手段】キャビティ輪郭部を構成し、可動側金型１３１に対してバネ１１１により一定圧力で付勢するスライドコア１０１を設け、成形時、このスライドコア１０１によって輪郭形成と、転写フィルム１４１の固定を行うことにより、成形品輪郭部のシワ発生を抑制する。また、溶融樹脂を射出、成形冷却後に、転写フィルム１４１のキャビティ輪郭部をスライドコア１０１で固定した状態で金型を開く。このとき、キャビティ輪郭部における成形品の成形部と非成形部にて、転写フィルム１４１の基材フィルムと転写箔から転写箔を分離することにより、転写箔を輪郭形状通りに切り取り、箔バリの発生を抑制する。【選択図】図１
2010173167.tif 000002
【特許請求の範囲】
【請求項１】
第１金型と第２金型とで形成したキャビティによる成形品の一部の面にフィルム箔を転写する箔転写射出成形方法において、
前記キャビティの外周を平面とする外周平面部を有する前記第１金型に前記フィルム箔を配置する第１工程と、
キャビティ輪郭部を構成する枠形状のスライドコアを前記第１金型の外周平面部に前記転写フィルムを挟んで接触させる第２工程と、
前記第１金型に前記スライドコアを付勢手段で押圧するとともに、型締めする前記第２金型によって形成したキャビティに樹脂を射出する第３工程と、
からなり、前記フィルム箔を転写した成形品を成形することを特徴とする箔転写射出成形方法。
【請求項２】
前記第３工程の後、前記スライドコアを前記第１金型の外周平面部に押圧した状態で、前記第１金型と第２金型を一定の量型開きする第４工程を有することを特徴とする請求項１記載の箔転写射出成形方法。
【請求項３】
前記型開きする一定の量は、０．２ｍｍ以上であることを特徴とする請求項２記載の箔転写射出成形方法。
【請求項４】
キャビティに形成する外周平面部を有しフィルム箔を配置する第１金型と、キャビティ輪郭部を構成する枠形状のスライドコアと、前記フィルム箔を挟んで前記第１金型の外周平面部に前記スライドコアを付勢手段で押圧するとともに、前記キャビティを形成するため型締めする第２金型と、を備え、
前記第１金型と前記スライドコアと前記第２金型で形成したキャビティに樹脂を射出し、前記フィルム箔を転写した成形品を成形することを特徴とする箔転写射出成形用金型。
【請求項５】
前記第１金型と前記スライドコアと前記第２金型で形成したキャビティにおいて、樹脂を射出成形した後、前記スライドコアを前記第１金型の外周平面部に押圧した状態で、前記第１金型と前記第２金型を一定の量型開きする機能を備えたことを特徴とする請求項４記載の箔転写射出成形用金型。
【請求項６】
前記型開きする機能の一定の量は、０．２ｍｍ以上であることを特徴とする請求項５記載の箔転写射出成形用金型。
【請求項７】
請求項１〜３のいずれか１項に記載の箔転写射出成形方法により、フィルム箔を転写し成形したことを特徴とする箔転写射出成形品。
【発明の詳細な説明】
【技術分野】
【０００１】
本発明は、箔転写射出成形に関するもので、特に転写するフィルム箔のシワの抑制を図ることと、フィルム箔を転写した輪郭部形状を正確に形成する箔転写射出成形方法及び金型並びに成形品に関するものである。
【背景技術】
【０００２】
従来の箔転写射出成形において、成形時に転写フィルムにズレが生じないよう、金型に転写する転写フィルムを固定するためのフィルム押さえプレートを設けて、これにより転写フィルムを固定する方法が一般的である。
【０００３】
しかし、これだけでは転写フィルムの固定が不充分であり、型締め後の溶融樹脂を金型キャビティ内へ射出した際に、キャビティ輪郭部に転写フィルムのズレが生じ、成形品にシワ模様が発生する。また、成形品への転写フィルムの転写後、基材フィルムとフィルム箔の剥離時に箔バリ（成形品よりはみ出したフィルム箔）が発生し、それが成形品の表面あるいは金型に付着することにより外観不良を引き起こすという問題点がある。
【０００４】
そこで、箔転写射出成形の金型に転写箔固定用のフィルム押さえプレートを設けて、そのフィルム押さえプレートを一定の力で付勢し、かつラバー部材で挟み込むことよって、転写フィルムを固定する方法などがある。
【０００５】
図６に示すように、この方法は、可動側取付板３にコア型４の周縁部の四隅を貫通するよう型締め方向に平行に４本のガイドピン７を立設し、これらガイドピン７に圧縮バネ８を挟んでフィルム押さえプレート５を挿着する。そして、フィルム押さえプレート５には上部と下部にラバー部材１１を装着する。 
【０００６】
成形時のシワをラバー部材１１の位置で止めるとともに、フィルム押さえプレート５で押さえた段階で転写フィルム１２を完全に固定し、型締め時に転写フィルム１２が引き戻されないようにできる。
【０００７】
なお、この方式については、特許文献１に詳しく説明されている。
【特許文献１】特開平７−４７５６５号公報
【発明の開示】
【発明が解決しようとする課題】
【０００８】
しかしながら、従来例の箔転写射出成形方法では、キャビティ輪郭形状より離れた外側にて転写フィルムの固定を行うため、その離れた部分において、溶融樹脂の射出時に、転写フィルム固定部とキャビティ輪郭部の間で転写フィルムにシワが生じ、成形品へそのシワ模様が転写されていた。
【０００９】
また、転写フィルムの固定端とキャビティの輪郭部が離れているため、成形品へ転写フィルムの転写後の基材フィルムと転写フィルムの剥離時において、箔バリが発生し、それが成形品あるいは金型に付着していた。これらによって、成形品の外観不良を引き起こすという問題点があった。
【００１０】
本発明は、前記従来の問題点に鑑み、金型のキャビティ輪郭部にて転写フィルムを固定し、成形後は、成形品が基材フィルムと剥離が完了するまで転写フィルムを固定し続けることにより、成形品輪郭部にシワがなく、また、箔バリの発生しない箔転写射出成形方法及び金型並びに成形品を提供することを目的としている。
【課題を解決するための手段】
【００１１】
前記の目的を達成するために、本発明の請求項１に係る箔転写射出成形方法は、第１金型と第２金型とで形成したキャビティによる成形品の一部の面にフィルム箔を転写する箔転写射出成形方法において、キャビティの外周を平面とする外周平面部を有する第１金型にフィルム箔を配置する第１工程と、キャビティ輪郭部を構成する枠形状のスライドコアを第１金型の外周平面部に転写フィルムを挟んで接触させる第２工程と、第１金型にスライドコアを付勢手段で押圧するとともに、型締めする第２金型によって形成したキャビティに樹脂を射出する第３工程と、からなり、フィルム箔を転写した成形品を成形することを特徴とする。
【００１２】
このような方法により、フィルム箔のキャビティ輪郭部より外周となる全ての部分を固定することができる。
【００１３】
また、請求項２に記載された発明は、請求項１の箔転写射出成形方法における第３工程の後、スライドコアを第１金型の外周平面部に押圧した状態で、第１金型と第２金型を一定の量型開きする第４工程を有することを特徴とする。
【００１４】
このような構成により、キャビティ輪郭部にて成形品の成形部と非成形部のフィルム箔が分離することで輪郭形状に切り取られ、箔バリの発生を抑制することができる。
【００１５】
また、請求項３に記載された発明は、請求項２の箔転写射出成形方法における型開きする一定の量は、０．２ｍｍ以上であることを特徴とする。
【００１６】
このような構成により、さらに効率的に箔バリの発生を抑制することができる。
【００１７】
また、請求項４に記載された箔転写射出成形用金型は、キャビティに形成する外周平面部を有しフィルム箔を配置する第１金型と、キャビティ輪郭部を構成する枠形状のスライドコアと、フィルム箔を挟んで第１金型の外周平面部にスライドコアを付勢手段で押圧するとともに、キャビティを形成するため型締めする第２金型と、を備え、第１金型とスライドコアと第２金型で形成したキャビティに樹脂を射出し、フィルム箔を転写した成形品を成形することを特徴とする。
【００１８】
また、請求項５，６に記載された発明は、請求項４の箔転写射出成形用金型において、第１金型とスライドコアと第２金型で形成したキャビティにおいて、樹脂を射出成形した後、スライドコアを第１金型の外周平面部に押圧した状態で、第１金型と第２金型を一定の量型開きする機能を備えたこと、この型開きする機能の一定の量は、０．２ｍｍ以上であることを特徴とする。
【００１９】
このような構成により、箔転写射出成形において、フィルム箔のシワや箔バリの発生を抑制した成形品を成形することができる。
【発明の効果】
【００２０】
本発明によれば、転写するフィルム箔をキャビティ輪郭部の外周全体で固定し、また固定した状態で成形品を基材フィルムより転写するフィルム箔を剥離することにより、シワがなく、箔バリがない箔転写射出成形を実現できるという効果を奏する。
【発明を実施するための最良の形態】
【００２１】
以下、図面を参照して本発明における実施の形態を詳細に説明する。
【００２２】
（実施の形態１）
図１は本発明の実施の形態１における箔転写射出成形用金型を示す断面図であり、図２は溶融樹脂を射出して成形品を形成した状態を示す断面図である。
【００２３】
図１において、図２に示す成形品１００の輪郭形状を形成するスライドコア１０１は付勢手段であるバネ１１１を介し、固定側金型１２１に取り付けられ、固定側金型１２１は成形機固定側プラテン２０１に固定されている。転写フィルム１４１の送りと巻取りを行うフィルム供給装置１５１及び可動側金型１３１は、成形機可動側プラテン２１１に固定されている。
【００２４】
また、図３は転写フィルムの層構成を示す断面図である。転写フィルム１４１は成形品１００に転写するフィルム箔（以下、転写箔という）３０２と成形後に剥離除去する基材フィルム３０１（一般にＰＥＴフィルム材料を使用）から構成される。
【００２５】
次に、箔転写の射出成形の工程を説明する。図１に示す状態から成形時には、成形機の型締め動作によって転写フィルム１４１はスライドコア１０１と可動側金型１３１の外周平面部に挟み込まれ、型締め完了時にはバネ１１１によって、一定の圧力で押圧され固定される。この状態が図４である。
【００２６】
本実施の形態１においては、この状態で溶融樹脂を射出し、成形品１００を形成（図２）の後、可動側金型１３１が開き、スライドコア１０１と固定側金型１２１と共に成形品１００が可動側金型１３１から離型する。このとき、スライドコア１０１と可動側金型１３１の外周平面部によって、成形品１００の輪郭の外周全面で転写フィルム１４１を固定しているため、従来の成形品の輪郭外側の離れた部分を固定する方法に比べて、輪郭部で転写フィルム１４１がずれるという問題に対して、大きく改善することができた。
【００２７】
なお、前記のような方法を利用した、箔転写射出成形方法及び金型は、転写フィルムのズレによる成形品のシワを低減できるという特徴を有し、安定して転写箔を転写した成形品を得ることができ、成形品の不良を低減できるという格別の効果を奏する。
【００２８】
（実施の形態２）
次に、本発明の実施の形態２について説明する。図５は成形後で、金型を型締めの状態から動作ストロークＡの距離を開いた型開きの状態を示す図である。溶融樹脂が射出され、成形冷却後に、転写フィルム１４１の転写箔３０２が成形品１００に転写され、前述の図２の位置から図５の位置に金型を移動させる。
【００２９】
このとき、バネ１１１により付勢されたスライドコア１０１と可動側金型１３１の外周平面部では転写フィルム１４１を固定した状態であり、金型を動作ストロークＡの距離を移動させることによって、成形品１００に転写された転写箔３０２は成形品１００と共に基材フィルム３０１からシワや箔バリを低減した剥離ができる。その後、さらに金型を開き成形品１００を得る。
【００３０】
また、この動作ストロークＡを「Ａ＞０．２ｍｍ」に設定することにより、前述の実施の形態１に比べて、キャビティの輪郭に沿った、よりシャープな転写箔３０２の切れができることを確認した。
【００３１】
本発明の形態においては、スライドコア１０１により転写フィルム１４１のキャビティ輪郭部を固定した状態で、基材フィルム３０１から成形品１００に転写した転写箔３０２の剥離を行う。これによって、転写フィルム１４１が固定された非成形部の転写箔３０２は基材フィルム３０１から剥離することがなく、キャビティ輪郭部内側の成形部の転写箔３０２のみが基材フィルム３０１から剥離でき、転写箔３０２がキャビティの輪郭形状に切り取られ、箔バリの発生がなくなるという特徴を有し、成形品の不良を低減できる格別の効果を奏することができる。
【００３２】
以上述べた各実施の形態においては、基材フィルムと転写箔から構成される転写フィルムを用い、転写箔だけを成形品に転写する箔転写射出成形方法の場合を例示したが、加飾したフィルム全体を成形品に転写し、成形完了後の型開き時と同時に加飾したフィルム自体の輪郭をトリミングするフィルム転写射出成形方法においても、シワの低減と良好なトリミング面を得ることができるという利点がある。
【産業上の利用可能性】
【００３３】
本願発明の箔転写射出成形方法及び金型並びに成形品によれば、箔転写射出成形品のシワ不良と箔バリの低減を実現でき、さらに、加飾されたフィルム全体を成形品に転写し、トリミングするフィルム転写射出成形方法においても、前記と同様の転写射出成形方法及び金型並びに成形品として、適用することができる。
【図面の簡単な説明】
【００３４】
【図１】本発明の実施の形態１における箔転写射出成形用金型（成形動作前）を示す断面図
【図２】本実施の形態１における箔転写射出成形用金型の成形型締め動作後、溶融樹脂を射出し、冷却完了時を示す断面図
【図３】箔転写射出成形に用いる転写フィルムの層構成を示す断面図
【図４】本実施の形態１で用いた箔転写射出成形用金型の成形型締め動作開始後、転写フィルムが固定側金型のスライドコアに接触時を示す断面図
【図５】本発明の実施の形態２における箔転写射出成形用金型の成形射出、冷却後の、成形品に転写箔が転写し基材フィルムから剥離した状態を示す断面図
【図６】従来の箔転写射出成形用金型を示す断面図
【符号の説明】
【００３５】
１  固定側取付板
３  可動側取付板
４  コア型
５  フィルム押さえプレート
７  ガイドピン
８  圧縮バネ
１１  ラバー部材
１２，１４１  転写フィルム
１００  成形品
１０１  スライドコア
１１１  バネ
１２１  固定側金型
１３１  可動側金型
１５１  フィルム供給装置
２０１  成形機固定側プラテン
２１１  成形機可動側プラテン
３０１  基材フィルム
３０２  転写箔
【図１】
2010173167.tif 000003
【図２】
2010173167.tif 000004
【図３】
2010173167.tif 000005
【図４】
2010173167.tif 000006
【図５】
2010173167.tif 000007
【図６】
2010173167.tif 000008